(57)【要約】      （修正有）【課題】包装された状態で、歯ブラシを固定でき、かつ、歯ブラシを視認することができる包装ケースを提供する。【解決手段】歯ブラシセット１は、包装ケース１０と歯ブラシ５０とで構成されている。包装ケース１０は、断面形状が略三角形状であり、透明なシート材で筒状に形成され、右壁面１２ａ、左壁面１２ｂ、背壁面１２ｃ、を含む壁面部と、壁面部の端部に形成され、天面蓋１３ａと底面蓋１３ｂを含む蓋とを含み構成されている。壁面部の内空間は、包装ケース１０に収納された歯ブラシ５０が軸方向に回転しないような形状、及び、大きさに形成されている。また、壁面部は、可撓性を備えた透明シートで構成され、壁面部のうちの背壁面１２ｃに設けられ、軸方向に形成され、筒の内側におるための折筋１６をさらに含んでいる。【選択図】図１
0003228442.tif 000002
【実用新案登録請求の範囲】
【請求項１】
歯ブラシを包装する包装ケースであって、
断面形状が略三角形状であり、透明なシート材で筒状に形成された壁面部と、
前記壁面部の端部に形成された蓋と、
少なくとも前記壁面部のうちの１つの面に設けられ、軸方向に形成され、筒の内側に折るための折筋と
を有し、
前記壁面部の内空間は、前記包装ケースに収納された歯ブラシが軸方向に回転しないような形状、及び、大きさに形成されている
包装ケース。
【請求項２】
歯ブラシを前記包装ケースに収納した場合に、前記壁面部の高さは、当該壁面部における前記折筋を設けた面以外の２つの面のうち、歯ブラシにおける植毛部が少なくとも一方の面と接触する高さに形成されている
請求項１に記載の包装ケース。
【請求項３】
前記壁面部は、可撓性を備えた透明なシートで構成されている
請求項２に記載の包装ケース。
【請求項４】
前記壁面部の一方の端部に設けられた吊下げ部
をさらに有し、
前記吊下げ部は、前記折筋を備えた前記壁面部に設けられ、
前記吊下げ部は、前記壁面部と一体的に形成され、
前記蓋は、開閉自在に前記壁面部と一体的に形成されている
請求項３に記載の包装ケース。
【請求項５】
歯ブラシと、歯ブラシを包装する包装ケースとで構成された歯ブラシセットであり、
前記包装ケースは、
断面形状が略三角形状であり、透明なシート材で筒状に形成された壁面部と、
前記壁面部の端部に形成された蓋と、
少なくとも前記壁面部のうちの１つの面に設けられ、軸方向に形成され、筒の内側に折るための折筋と
を有し、
前記壁面部の内空間は、前記包装ケースに収納された歯ブラシが軸方向に回転しないような形状、及び、大きさに形成され、
前記包装ケースに収納された歯ブラシの歯ブラシ本体が位置する前記壁面部側に前記折筋を備えた
歯ブラシセット。
【考案の詳細な説明】
【技術分野】
【０００１】
本考案は、包装ケース、及び、歯ブラシセットに関する。
【背景技術】
【０００２】
例えば、特許文献１には、歯ブラシを斜め正面に向けた状態で収容する凸状の収容部を有する透明なプラスチックシートの成型品からなる外装体を、前記収容部に歯ブラシを収容させて台紙に重ね、前記外装体の周縁部を台紙表面に接着させ、前記外装体と前記台紙とで前記歯ブラシを包装してなる歯ブラシ包装体において、前記外装体に、前記収容部に収容された歯ブラシに向けて内側へ突出し前記歯ブラシを斜め状態に支持する突起部を設けたことを特徴とする歯ブラシ包装体が開示されている。
【０００３】
また、特許文献２には、基材と、歯ブラシを収容する収容部を形成し、前記基材に貼着されたブリスターと、からなる歯ブラシ容器であって、前記基材は、歯ブラシの一部を視認可能とする透明部を有し、前記基材の前記ブリスター側とは反対側の表面を店頭展示側とする表示面とされ、前記基材と前記ブリスターとが封止された状態で、前記収容部に収容される歯ブラシの少なくとも一部が前記基材と前記ブリスターによって押圧されていることを特徴とする歯ブラシ容器が開示されている。
【０００４】
また、特許文献３には、前面ケースと背面シートとからなるワイパー替ゴムのブリスターパックであって、前記前面ケースは透明部材からなり、上面および底面を有するが開口面のための一つの側面を欠く中空の略三角柱形状からなるワイパー替ゴム収納部と、前記開口面の周囲のフランジ部とを有し、前記背面シートは前記前面ケースの背面に取りつけられ、前記前面ケースの開口面とフランジ部とを覆ってなるワイパー替ゴムのブリスターパックが開示されている。
【先行技術文献】
【特許文献】
【０００５】
【特許文献１】特開平１０−９５４５７号公報
【特許文献２】特開２０１４−１１４０４４号公報
【特許文献３】特開平７−２５１８６２号公報
【考案の概要】
【考案が解決しようとする課題】
【０００６】
本考案は、包装された状態で、歯ブラシを固定でき、かつ、歯ブラシを視認することができる包装ケースを提供することを目的とする。
【課題を解決するための手段】
【０００７】
本考案に係る包装ケースは、歯ブラシを包装する包装ケースであって、断面形状が略三角形状であり、透明なシート材で筒状に形成された壁面部と、前記壁面部の端部に形成された蓋とを有し、前記壁面部の内空間は、前記包装ケースに収納された歯ブラシが軸方向に回転しないような形状、及び、大きさに形成されている。
【０００８】
好適には、前記壁面部は、可撓性を備えた透明なシートで構成され、少なくとも前記壁面部のうちの１つの面に設けられ、軸方向に形成され、筒の内側に折るための折筋をさらに有する。
【０００９】
好適には、前記壁面部の一方の端部に設けられた吊下げ部をさらに有し、前記吊下げ部は、前記折筋を備えた前記壁面部に設けられ、前記吊下げ部は、前記壁面部と一体的に形成され、前記蓋は、開閉自在に前記壁面部と一体的に形成されている。
【００１０】
また、本考案に係る包装シートは、歯ブラシを包装する包装ケースを形成する包装シートであって、長方形形状に形成された透明なシート材と、前記シート材の短辺に該シート材から連続して設けられ、略三角形状に形成された蓋と、前記シート材の長手方向に設けられ、短手方向に既定の間隔で形成された複数の縦折り目と、前記シート材の短手方向に設けられ、該シート材と前記蓋とを区切る位置に形成された横折り目とを有し、前記シート材は、断面形状が略三角形状である筒状における辺となる位置に、前記縦折り目を形成されている。
【００１１】
また、本考案に係る歯ブラシセットは、歯ブラシと、歯ブラシを包装する包装ケースとで構成された歯ブラシセットであり、前記包装ケースは、断面形状が略三角形状であり、透明なシート材で筒状に形成された壁面部と、前記壁面部の端部に形成された蓋とを有し、前記壁面部の内空間は、前記包装ケースに収納された歯ブラシが軸方向に回転しないような形状、及び、大きさに形成されている。
【考案の効果】
【００１２】
本考案によれば、包装された状態で、歯ブラシを固定でき、かつ、歯ブラシを視認することができる。
【図面の簡単な説明】
【００１３】
【図１】本実施例における歯ブラシセット１の構成を説明する斜視図である。
【図２】本実施例における包装ケース１０を展開した状態を例示する図である。
【図３】本実施例における包装ケース１０の折り畳みを説明する図である。
【図４】本実施例における包装ケース１０におけるケース本体１１に歯ブラシ５０を収納した状態を説明する図である。
【図５】本実施例における歯ブラシセット１を陳列した状態を例示する図である。
【図６】陳列された歯ブラシセット１を手に取る状態を説明する図である。
【図７】本実施例における歯ブラシセット１の梱包した状態を説明する図である。
【考案を実施するための形態】
【００１４】
以下、本考案に係る実施形態の構成を、図面を参照して説明する。ただし、本考案の範囲は、図示例に限定されるものではない。
［構成］
まず、本実施例における構成を説明する。
図１は、本実施例における歯ブラシセット１の構成を説明する斜視図である。
図１に例示するように、歯ブラシセット１は、包装ケース１０と歯ブラシ５０とで構成されている。歯ブラシセット１は、歯ブラシ５０を包装ケース１０に収納することができる。
［包装ケース１０］
包装ケース１０は、歯ブラシ５０を包装する包装材である。包装ケース１０は、透過性、透明性に優れた材料で形成されている。包装ケース１０は、例えば、合成樹脂で形成され、本例の包装ケース１０は、合成樹脂のうちポリエステル系樹脂のポリエチレンテレフタレート（ＰＥＴ）樹脂で形成されている。包装ケース１０は、透明なシート材で形成されることにより、包装ケース１０を介して内部にある歯ブラシ５０を視認させることができる。また、包装ケース１０は、断面形状が略三角形状となるよう形成された三角柱状の包装材であり、包装ケース１０に収納された歯ブラシ５０が軸方向に回転しないような形状、及び、大きさに形成されている。この包装ケース１０は、ケース本体１１と、吊下げ部１４と、折筋１６と、のり代１８とを含み構成されている。なお、包装ケース１０は、本考案に係る包装ケースの一例である。
［歯ブラシ５０］
歯ブラシ５０は、歯ブラシ本体５２と植毛部５４とを含み構成されている。
歯ブラシ本体５２は、柄部分であり、ハンドル、植毛台、及び、ネックが滑らかに連続して形成されている。歯ブラシ本体５２は、例えば、合成樹脂で形成され、具体的にはポリスチレン系樹脂で形成されている。また、植毛部５４は、歯ブラシ本体５２における植毛台に植毛された毛である。植毛部５４は、合成樹脂で形成され、具体的にはポリステル系樹脂で構成されている。歯ブラシ５０は、一般的な歯ブラシであるならば、とくに限定せず、本例の歯ブラシ５０は、例えば、全長が約１７ｃｍの一般的な大人用歯ブラシである。
【００１５】
包装ケース１０の構成を具体的に説明する。
（ケース本体１１）
図１に例示するように、ケース本体１１は、壁面部１２と蓋１３とを含んで形成されている。ケース本体１１は、壁面部１２と蓋１３とを一体的に形成してもよいし、壁面部１２と蓋１３とを別々に形成して接続し構成してもよい。本例のケース本体１１は、壁面部１２と蓋１３とを一体的に形成している。
壁面部１２は、断面形状が多角形形状のうち略三角形形状である筒状に形成されている。具体的には、壁面部１２は、右壁面１２ａ、左壁面１２ｂ、及び背壁面１２ｃの各壁面を有し、それぞれが長方形形状の側面として設けられている。また、壁面部１２は、軸方向に形成された折筋１６を背壁面１２ｃに備えている。壁面部１２は、折筋１６により、背壁面１２ｃを筒の内側に折り曲げることができる。
また、ケース本体１１は、壁面部１２の両端に蓋１３が開閉自在に形成されている。具体的には、蓋１３は、天面蓋１３ａおよび底面蓋１３ｂを有し、それぞれが略三角形形状の側面として設けられている。
使用者は、天面蓋１３ａ、又は、底面蓋１３ｂのどちらか一方を開扉することにより、ケース本体１１に歯ブラシ５０の挿入または歯ブラシ５０の取出しを行うことができる。
【００１６】
（吊下げ部１４）
図1に例示するように、吊下げ部１４は、軸方向のうちどちらか一方の蓋１３側に壁面部１２から連続して形成されている。本例の吊下げ部１４は、天蓋１３ａ側に、壁面部１２（背壁面１２ｃ）から連続して形成されている。また、吊下げ部１４は、吊下穴１４ａを備え、吊下げ部１４の一部に切れ目を入れることによりフック型に形成されている。吊下穴１４ａの大きさは、例えば、陳列用バーやフック等を挿通可能な大きさに形成されており、本例での吊下穴１４ａの大きさは、直径が６ｍｍ〜１０ｍｍであり、好ましくは、直径が８ｍｍの大きさである。
吊下げ部１４は、フック型であることにより、例えば、陳列用バーに歯ブラシセット１が複数陳列された状態であっても、任意の位置にある歯ブラシセット１を陳列用バーから容易に取り出すことができる。なお、吊下げ部１４は、フック型に限定するものではなく、吊下穴１４ａのみである穴型であってもよい。
また、吊下げ部１４は、軸方向に折筋１６を形成されており、背壁面１２ｃに形成された折筋１６と連続している。これにより、吊下げ部１４は、背壁面１２ｃと共に軸方向に折り曲げることができる。
【００１７】
（折筋１６）
図１に例示するように、折筋１６は、少なくとも壁面部１２のうちの１つの面に設けられ、軸方向に形成されている折り目である。折筋１６は、折り曲げ自在の折り目であり、折るための支点となる。筋部１６は、壁面部１２の各壁面（右壁面１２ａ、左壁面１２ｂ、及び背壁面１２ｃ）に設けられてもよいし、壁面部１２の各壁面のうちの１つの面に設けられてもよい。なお、本例の折筋１６は、壁面部１２のうち背壁面１２ｃに設けられている。背壁面１２ｃは、折筋１６により、筒状となる壁面部１２の内側に折り曲げることができる。また、折筋１６は、背壁面１２ｃと連続して形成される吊下げ部１４にも設けられている。吊下げ部１４に設けられた折筋１６は、背壁面１２ｃに設けられた折筋１６と連続している。
【００１８】
（のり代１８）
図１に例示するように、のり代１８は、接着部材（接着剤または接着シート）を配置でき、壁面部１２を筒状にするための接着部分である。のり代１８は、壁面部１２のうちの一つの壁面部分に連続して形成されている。本例ののり代１８は、左壁面部１２ｂに連続して形成されており、接着部材により背壁面部１２ｃと接着される。これによりケース本体１１における壁面部１２が筒状に形成される。
このように、包装ケース１０は、ケース本体１１と、吊下げ部１４と、折筋１６と、のり代１８とを含み構成されている。
【００１９】
図２は、本実施例における包装ケース１０を展開した状態を例示する図である。
図２に例示するように、包装シート９は、包装ケース１０を展開した状態のシート材である。包装シート９は、ケース本体１１（壁面部１２及び蓋１３）と、吊下げ部１４と、折筋１６と、のり代１８とを含み、これらが一体的に形成されている。
包装シート９は、長方形形状に形成されたシート材に、蓋１３と、吊下げ部１４と、のり代１８とが連続して形成されている。包装シート９は、短辺に蓋１３と、吊下げ部１４とが連続して形成され、長辺にのり代１８が連続して形成されている。
また、包装シート９は、長手方向に縦折り目９ａが設けられている。縦折り目９ａは、短手方向に既定の間隔で複数設けられ、具体的には、短手方向に２０ｍｍ〜２４ｍｍの間隔で３箇所に設けられている。言い換えると、縦折り目９ａは、右壁面１２ａと、左壁面１２ｂと、のり代１８とを区切る位置にそれぞれ形成されている。縦折り目９ａは、折り曲げるための折り目であり、折るための支点となる。また、縦折り目９ａは、断面形状が三角形状となる筒状の壁面部１２とするときの辺の部分となる。
【００２０】
また、包装シート９は、短手方向に横折り目９ｂが設けられている。横折り目９ｂは、包装シート９における壁面部１２と、蓋１３および吊下げ部１４とを区切る位置に形成されている。横折り目９ｂは、縦折り目９ａと同様に、折り曲げるための折り目であり、折るための支点となる。蓋１３は、横折り目９ｂにより、壁面部１２の方向に開閉自在とすることができる。また、吊下げ部１４は、横折り目９ｂにより、折り曲げ自在とすることができる。
このように、包装シート９は、ケース本体１１（壁面部１２及び蓋１３）と、吊下げ部１４と、折筋１６とが一体的に形成され、縦折り目９ａおよび横折り目９ｂが設けられている。なお、本例の包装ケース１０は、壁面部１２の短手方向における長さが２０ｍｍ〜２４ｍｍである。また、壁面部１２の長手方向における長さが１７４ｍｍ〜１７６ｍｍである。これにより、本例の包装ケース１０は、筒状にした壁面部１２の断面形状が略正三角形状となる。なお、包装シート９は、本考案に係る包装シートの一例である。
【００２１】
図３は、本実施例における包装ケース１０の折り畳みを説明する図である。
図３に例示するように、包装ケース１０は、包装シート９における背壁面１２ｃと、のり代１８とを接着し、壁面部１２を筒状にした状態である。包装ケース１０は、筒状にした状態から、折筋１６を介して背壁面１２ｃ、及び、吊下げ部１４をケース本体１１の内部側に折ることにより、折り畳むことができる。これにより、包装ケース１０は、筒状にした状態であってもコンパクトにすることができる。また、包装ケース１０は、可撓性を備えるシート材であるため、折り畳まれた状態から再び筒状の状態とすることができる。
【００２２】
図４は、本実施例における包装ケース１０におけるケース本体１１に歯ブラシ５０を収納した状態を説明する図である。図４（Ａ）は、背面壁１２ｃを折り曲げない状態を例示する図であり、図４（Ｂ）は、面壁１２ｃを折り曲げた状態を例示する図である。
図４（Ａ）及び図４（Ｂ）に例示するように、ケース本体１１は、歯ブラシ５０を収納している。具体的には、ケース本体１１は、断面形状が略三角形状である筒状の壁面部１２における内部に、歯ブラシ５０を収納している。歯ブラシ５０は、背壁面１２ｃ側に歯ブラシ本体５２が位置し、右壁面１２ａ及び左壁面１２ｂ側に植毛部５４が位置するように、壁面部１２の内部に収納されている。
図４（Ａ）に例示するように、壁面部１２の高さｈは、ケース本体１１に収納された歯ブラシ５０が軸方向に回転しない高さに形成されている。言い換えると、壁面部１２の高さｈは、ケース本体１１に収納された歯ブラシ５０における植毛部５４が右壁面１２ａ及び左壁面１２ｂの少なくとも一方と接触する高さに形成されている。なお、本例のケース本体１１は、壁面部１２の短手方向における一辺の長さが２０ｍｍ〜２４ｍｍであるため、壁面部１２の高さｈは、１７ｍｍ〜２１ｍｍである。
また、壁面部１２は、断面形状が略三角形状であるため、右壁面１２ａ及び左壁面１２ｂとの間に位置する縦折り目９ａに向かって内部空間が次第に狭くなっている。これにより、収納された歯ブラシ５０の植毛部５４を右壁面１２ａ及び左壁面１２ｂに接触させ、壁面に沿わせることで広がらないよう防止することができる。
このように、壁面部１２の内部空間形状が、歯ブラシ５０の回転を防止すると共に、植毛部５４の広がりを防止するような形状、および、大きさに形成されている。
【００２３】
また、図４（Ｂ）に例示するように、壁面部１２は、折筋１６により、背壁面１２ｃを右壁面１２ａ及び左壁面１２ｂにおける縦折り目９ａに向かって折り曲げることができる。これにより、壁面部１２は、右壁面１２ａ、左壁面１２ｂ、及び、背壁面１２ｃを、収納された歯ブラシ５０に接触させることができる。そのため、壁面部１２は、歯ブラシ５０の大きさに合わせて右壁面１２ａ、左壁面１２ｂ、及び、背壁面１２ｃの位置調整し、収納された歯ブラシ５０を固定することができる。
よって、包装ケース１１は、歯ブラシ５０における植毛部５４の広がりを防止すると共に、包装ケース１１に収納された状態における歯ブラシ５０の回転を防止することができる。
【００２４】
［陳列形態］
次に、歯ブラシセット１の陳列した状態を説明する。
図５は、本実施例における歯ブラシセット１を陳列した状態を例示する図である。図５（Ａ）は、陳列された歯ブラシセット１を例示する斜視図であり、図５（Ｂ）は、陳列された歯ブラシセット１を例示する側面図である。
図５に例示するように、歯ブラシセット１は、吊下穴１４ａに陳列用バー５を挿通し、吊下げた状態で複数陳列される。歯ブラシセット１は、包装ケース１０におけるケース本体１１が三角柱状に形成されていることにより、吊下げた状態において、正面方向だけでなく斜め方向や側面方向から見た場合であっても、歯ブラシ５０の形状を容易に視認することができる。さらに、歯ブラシセット１は、三角柱状のケース本体１１であるため意匠性に優れた外観とすることができる。
【００２５】
図６は、陳列された歯ブラシセット１を手に取る状態を説明する図である。
図６に例示するように、消費者は、複数陳列された歯ブラシセット１のうちの一つを手で掴み、掴んだ歯ブラシセット１の吊下げ部１４を陳列バー５に対してスライドさせ、歯ブラシセット１を手前側に引き出す。このとき、吊下げ部１４は、歯ブラシセット１をスライドさせることにより、奥側に傾斜する。吊下げ部１４は、吊下げ部１４と背壁面１２ｃとの間に形成された横折り目９ｂにより、折り曲げ自在なため、奥側に傾斜することが可能となる。また、吊下げ部１４は、可撓性のあるシート材で形成されているため柔軟に撓むことができる。
また、消費者は、歯ブラシセット１における包装ケース１０のうち、背壁面１２ｃ及び右壁面１２ａの間にある縦折り目９ａと、背壁面１２ｃ及び左壁面１２ｂの間にある縦折り目９ａとを手で掴むことで、折筋１６が設けられた背壁面１２ｃが内側に折り曲げられる。これにより、消費者は、包装ケース１０における壁面部１２を歯ブラシ５０に接触させ固定した状態で、歯ブラシセット１を手に取ることができる。よって消費者は、歯ブラシセット１を手に取ったときに、歯ブラシ５０を固定した状態であるため、軸方向に回転させても歯ブラシ５０が内部で回転しないため、歯ブラシ５０の形状を容易に視認することができる。
【００２６】
［梱包形態］
図７は、本実施例における歯ブラシセット１を梱包した状態を例示する図である。
図７に例示するように、歯ブラシセット１は、包装ケース１０に歯ブラシ５０を収納した状態で、梱包箱Ｂに複数収納される。歯ブラシセット１は、包装ケース１０が三角柱状であるため、四角柱状である包装ケースに比べて、より多く梱包箱Ｂに梱包することができるため、運搬コストを下げることが期待できる。また、歯ブラシセット１は、包装ケース１０の断面形状が略三角形形状であるため、梱包箱Ｂの運搬による衝撃によって包装ケース１０内で歯ブラシ５０が軸方向に回転することを防止する。
【００２７】
以上説明したように、本実施形例の歯ブラシセット１は、包装ケース１０と歯ブラシ５０とで構成されている。包装ケース１０は、断面形状が略三角形状であり、透明なシート材で筒状に形成された壁面部１２と、壁面部１２の端部に形成された蓋１３とを含み構成されている。壁面部１２の内空間は、包装ケース１０に収納された歯ブラシ５０が軸方向に回転しないような形状、および、大きさに形成される。包装ケース１０に収納された状態における歯ブラシ５０の植毛部５４が壁面部１２と接触する高さに形成されている。これにより、歯ブラシセット１は、歯ブラシ５０が包装ケース１０の内部で軸方向に回転することを防止する。また、歯ブラシセット１は、透明なシート材で包装ケース１０が形成されているため、包装ケース１０に収納された状態であっても外側から歯ブラシ５０を視認させることができる。
【００２８】
また、包装ケース１０は、可撓性を備えたケース体であり、壁面部１２は、可撓性を備えた透明シートで構成されている。包装ケース１０は、壁面部１２のうちの１つの面（背壁面１２ｃ）に設けられ、軸方向に形成され、筒状の内側に折るための折筋１６をさらに含んで構成されている。これにより、包装ケース１０は、折筋１６を設けられた背壁面１２ｃを包装ケース１０の内部方向に折り曲げ、それぞれの壁面部１２を歯ブラシ５０に接触させることができる。包装ケース１０は、各壁面部１２を歯ブラシ５０に接触させることにより、歯ブラシ５０の大きさに合わせて収納された歯ブラシ５０を固定することができる。
【００２９】
また、包装ケース１０は、壁面部１２のうち背壁面１２ｃの一方の端部に吊下げ部１４を備え一体的に形成されている。吊下げ部１４は、背壁面１２ｃと連続して折筋１６を備えている。これにより、包装ケース１０は、折筋１６により、背壁面１２ｃと吊下げ部１４とを包装ケース１０の内部方向に折り曲げることができる。これにより、包装ケース１０は、背壁面１２ｃを折り曲げ、内部に収納される歯ブラシ５０を壁面部１２で固定することができる。
以上、本考案に係る実施形態について説明したが、これらに限定されるものではなく、考案の趣旨を逸脱しない範囲内において、種々の変更、追加等が可能である。
【符号の説明】
【００３０】
１      歯ブラシセット
５０    歯ブラシ
５２    歯ブラシ本体
５４    植毛部
１０    包装ケース
１１    ケース本体
１２    壁面部
１２ａ  右壁面
１２ｂ  左壁面
１２ｃ  背壁面
１３    蓋
１３ａ  天面蓋
１３ｂ  底面蓋
１４    吊下げ部
１４ａ  吊下穴
１６    折筋
１８    のり代
９      包装シート
９ａ    縦折り目
９ｂ    横折り目
【図１】
0003228442.tif 000003
【図２】
0003228442.tif 000004
【図３】
0003228442.tif 000005
【図４】
0003228442.tif 000006
【図５】
0003228442.tif 000007
【図６】
0003228442.tif 000008
【図７】
0003228442.tif 000009